(57)【要約】【課題】  ばね部材を使用せずに、簡単な構造で、操作軸のガタを抑えることのできる回転型電気部品を提供する。【解決手段】  一端側に筒状の軸受け部１ｂを有し他端側に収納部１ｃ、１０ａを有するハウジング１、１０と、先端側が軸受け部１ｂから突出すると共に軸受け部１ｂに回転可能に保持された回転軸２と、収納部１ｃ、１０ａ内に設けられ回転軸２の回転を検出する回転検出手段とを備え、回転軸２は、軸受け部１ｂに挿通される主軸部３と、軸受け部１ｂの先端側の外周面を覆うように主軸部３と一体的に形成され、外装つまみ５を装着可能なつまみ取付け部４からなるものとした。【選択図】        図３
2006004914.tif 000002
【特許請求の範囲】
【請求項１】
一端側に筒状の軸受け部を有し他端側に収納部を有するハウジングと、先端側が前記軸受け部から突出すると共に前記軸受け部に回転可能に保持された回転軸と、前記収納部内に設けられ前記回転軸の回転を検出する回転検出手段とを備え、前記回転軸は、前記軸受け部に挿通される主軸部と、前記軸受け部の先端側の外周面を覆うように前記主軸部と一体的に形成され、外装つまみを装着可能なつまみ取付け部からなることを特徴とする回転型電気部品。
【請求項２】
前記回転軸は、前記主軸部を金属材で形成すると共に、前記つまみ取付け部を前記主軸部とは異なる材料で形成し、前記金属材からなる前記主軸部先端を前記つまみ取付け部から露出させた状態で一体的に形成したことを特徴とする請求項１記載の回転型電気部品。
【請求項３】
前記主軸部の一端側には、非円形部を設け、この非円形部により前記主軸部と前記つまみ取付け部を一体的に係合させたことを特徴とする請求項１又は２記載の回転型電気部品。
【請求項４】
前記つまみ取付け部を合成樹脂材により形成したことを特徴とする請求項１乃至３の何れかに記載の回転型電気部品。
【請求項５】
前記つまみ取付け部を金属材のダイキャストにより形成したことを特徴とする請求項１乃至３の何れかに記載の回転型電気部品。
【請求項６】
前記つまみ取付け部の外周に、前記外装つまみと嵌合する凹凸部あるいは切り欠き部を形成したことを特徴とする請求項１乃至５の何れかに記載の回転型電気部品。
【請求項７】
前記回転軸は、前記軸受け部に回転軸線方向にスライド移動可能とされ、前記ハウジングの収納部には、前記回転軸を押圧操作した時に動作する押圧スイッチを設けたことを特徴とする請求項１乃至６の何れかに記載の回転型電気部品。
【請求項８】
前記回転検出手段は、導電パターンと該導電パターンと摺接する摺動子からなることを特徴とする請求項１乃至７の何れかに記載の回転型電気部品。
【発明の詳細な説明】
【技術分野】
【０００１】
本発明は、回転型電気部品の構造に係り、特に回転軸の先端に別体の外装つまみを取付けて電子機器などの操作パネルに使用される回転型電気部品の構造に関する。
【背景技術】
【０００２】
従来の回転型電気部品の構造としては、操作軸のがたつきを抑えるために、枠体の外方に、挿通孔から突出される操作軸の一端部を押圧し、常時、操作軸の操作部をケ−スから突出する方向へ付勢するばね部材を取付けるようにした構造のものが知られている（例えば、特許文献１参照）。
【０００３】
以下、従来の回転型電気部品の構造を図に基づいて説明する。
図１２は従来の回転型電気部品を示す断面図、図１３は板ばねを示す正面図である。
【０００４】
図において、ケース３１は、合成樹脂などの絶縁材、あるいは金属材のダイキャストなどにより下面が開口された箱状に形成されている。このケース３１の上面側には、後述する操作軸３２が挿通される軸孔３１ａを有し、操作部３２ａの先端が外方へ突出される円筒状の軸受け部３１ｂが一体的に突出されて形成されている。また、前記軸受け部３１ｂに連設して下面側の開口内に後述する回転板３３等を収納する収納部３１ｃが形成されたものとなっている。
【０００５】
操作軸３２は、合成樹脂などの絶縁材、あるいは金属材のダイキャストなどで略円柱状に形成されており、この操作軸３２の先端側は、前記軸受け部３１ｂの軸孔３１ａから突出されて図示しない操作つまみが取り付けられる操作部３２ａとなっている。また、前記操作軸３２の中間部には、前記操作部３２ａより太径でかつ小判状からなる回転駆動部３２ｂが設けられ、この回転駆動部３２ｂが後述する回転板３３と係合されることで、前記操作軸３２の回転に伴って回転板３３が回転動作されるものとなっている。また、前記操作部３２ａの他端側には、回転板３３の軸挿入部３３ｂに挿入される第１の支軸部３２ｃが設けられ、この第１の支軸部３２ｃの先端には、後述する枠体３９の挿通孔３９ａに挿通される第２の支軸部３２ｄが設けられている。
【０００６】
回転板３３は、合成樹脂などの絶縁材で略円盤状に形成されており、この回転板３３の中央には、前記操作軸３２の回転駆動部３２ｂが挿入され係合される軸係止部３３ａが形成されている。また、この軸係止部３３ａに連続して軸挿入部３３ｂが形成され、この軸挿入部３３ｂに前記操作軸３２の第１の支軸部３２ｃが挿入されるものとなっている。また、前記回転板３３の上面側には、複数の凹凸部からなる環状のカム山部３３ｃが設けられており、また、前記ケース３１の前記収納部３１ｃの天井面側にはこのカム山部３３ｃに対向してばね性を有するクリック板３４が設けられている。
【０００７】
また、前記回転板３３の下面側には、導電性の金属材で回路パターン（図示せず）が形成された導体板３５が取り付けられており、また、前記ケース３１の前記収納部３１ｃの開口側にはこの導体板３５に対向した位置に、回路パターンと接離される摺動片３６が配設されたウエハー３７が配設されたものとなっており、このウエハー３７には接続端子３８が設けられている。
【０００８】
枠体３９は、略矩形状に形成されており、この枠体３９の中央には、挿通孔３９ａが設けられ、この挿通孔３９ａに前記操作軸３２の他端側に設けられた第２の支軸部３２ｄが挿通され突出するように配設されている。また、前記枠体３９の四角部には、折曲片３９ｂが設けられており、この折曲片３９ｂを屈曲することにより、枠体３９の下側に後述する板ばね４０を重ね合わせて取り付けるものとなっている。
【０００９】
板ばね４０は、ばね性を有する金属材で形成され、この板ばね４０の中央が湾曲されて湾曲部４０ａが形成されている。この板ばね４０は、前記枠体３９の下面側に、前記枠体３９に設けられた前記挿通孔３９ａを塞ぐとともに、前記枠体３９に重ね合わされて固着されており、前記枠体３９とともに前記ケース３１の開口した前記収納部３１ｃの下面側に一体的に取り付けられるものとなっている。また、前記湾曲部４０ａが、前記挿通孔３９ａから突出される前記操作軸３２の第２の支軸部３２ｄの先端を押圧し、常時、前記操作軸３２の操作部３２ａを前記ケース３１の軸受け部３１ｂから突出する方向へ付勢している。
そして、前記操作軸３２にがたつきが発生してしまう場合においても、前記板ばね４０の付勢力によって操作軸３２のがたつきを防止できるものとなっている。
【００１０】
【特許文献１】特開２００２−１５６４１号公報
【発明の開示】
【発明が解決しようとする課題】
【００１１】
しかしながら、上述した従来の回転型電気部品においては、枠体の外方に、常時、操作軸の操作部をケースから突出する方向へ付勢するばね部材を必要とするため、構造が複雑となり、生産性が良くないという問題があった。
【００１２】
したがって、本発明では上述した問題点を解決し、ばね部材を使用せずに、簡単な構造で、操作軸のガタを抑えることのできる回転型電気部品を提供することを目的とする。
【課題を解決するための手段】
【００１３】
上記課題を解決するために本発明では第１の解決手段として、一端側に筒状の軸受け部を有し他端側に収納部を有するハウジングと、先端側が前記軸受け部から突出すると共に前記軸受け部に回転可能に保持された回転軸と、前記収納部内に設けられ前記回転軸の回転を検出する回転検出手段とを備え、前記回転軸は、前記軸受け部に挿通される主軸部と、前記軸受け部の先端側の外周面を覆うように前記主軸部と一体的に形成され、外装つまみを装着可能なつまみ取付け部からなる構成とした。
【００１４】
また、第２の解決手段として、前記回転軸は、前記主軸部を金属材で形成すると共に、前記つまみ取付け部を前記主軸部とは異なる材料で形成し、前記金属材からなる前記主軸部先端を前記つまみ取付け部から露出させた状態で一体的に形成した構成とした。
また、第３の解決手段として、前記主軸部の一端側には、非円形部を設け、この非円形部により前記主軸部と前記つまみ取付け部を一体的に係合させた構成とした。
また、第４の解決手段として、前記つまみ取付け部を合成樹脂材により形成した構成とした。
また、第５の解決手段として、前記つまみ取付け部を金属材のダイキャストにより形成した構成とした。
【００１５】
また、第６の解決手段として、前記つまみ取付け部の外周に、前記外装つまみと嵌合する凹凸部あるいは切り欠き部を形成した構成とした。
また、第７の解決手段として、前記回転軸は、前記軸受け部に回転軸線方向にスライド移動可能とされ、前記ハウジングの収納部には、前記回転軸を押圧操作した時に動作する押圧スイッチを設けた構成とした。
また、第８の解決手段として、前記回転検出手段は、導電パターンと該導電パターンと摺接する摺動子からなる構成とした。
【発明の効果】
【００１６】
上述したように、本発明の回転型電気部品は、一端側に筒状の軸受け部を有し他端側に収納部を有するハウジングと、先端側が軸受け部から突出すると共に軸受け部に回転可能に保持された回転軸と、収納部内に設けられ回転軸の回転を検出する回転検出手段とを備え、回転軸は、軸受け部に挿通される主軸部と、軸受け部の先端側の外周面を覆うように主軸部と一体的に形成され、外装つまみを装着可能なつまみ取付け部からなることから、外装つまみは軸受け部の外周に位置するつまみ取付け部に取付けられるので、外装つまみを軸受け部に当接することなく取付けることができ、軸受け部を長く形成することにより回転軸の主軸部の先端近くまでガイドできるため、回転軸の形状により軸ガタを小さくすることができ、簡単な構造で回転軸の軸ガタを抑えることができる。
【００１７】
また、回転軸は、主軸部を金属材で形成すると共に、つまみ取付け部を主軸部とは異なる材料で形成し、金属材からなる主軸部先端をつまみ取付け部から露出させた状態で一体的に形成したことから、主軸部とつまみ取付け部との係合位置を精度良く合わせることができ、主軸部とつまみ取付け部の偏心を抑えることができる。
また、主軸部の一端側には、非円形部を設け、非円形部により主軸部とつまみ取付け部を一体的に係合させたことから、主軸部とつまみ取付け部とを確実に係合できるので、外装つまみの回転操作をつまみ取付け部を介して確実に回転軸に伝えることができる。
【００１８】
また、つまみ取付け部を合成樹脂材により形成したことから、外装つまみは一般に合成樹脂材で形成されており、つまみ取付け部を外装つまみと同じ合成樹脂材（例えばＡＢＳ樹脂）にすることができるので、つまみ取付け部と外装つまみとの熱膨張係数が近くなり、外装つまみあるいはつまみ取付け部に熱によるストレスが加わりにくく、クラックや割れの発生を抑制できる。
また、つまみ取付け部を金属材のダイキャストにより形成したことから、つまみ取付け部が金属材からなるので、薄肉部や切り欠き部が設けられていても、強度を保つことができる。
【００１９】
また、つまみ取付け部の外周に、外装つまみと嵌合する凹凸部あるいは切り欠き部を形成したことから、外装つまみのつまみ取付け部への嵌合を確実なものとすることができる。
また、回転軸は、軸受け部に回転軸線方向にスライド移動可能とされ、ハウジングの収納部には、回転軸を押圧操作した時に動作する押圧スイッチを設けたことから、回転軸の下方に押圧スイッチを設けることにより回転軸の回転軸線方向の押圧操作を検出することができる。
【発明を実施するための最良の形態】
【００２０】
以下、本発明の回転型電気部品の実施形態を図１乃至図１１に示す。図１は本発明の回転型電気部品の平面図、図２は本発明の回転型電気部品の正面図、図３は本発明の回転型電気部品に外装つまみを取付けた状態の断面図、図４は回転軸の正面図、図５は回転軸の断面図、図６は回転軸の主軸部の平面図、図７は回転軸の主軸部の正面図、図８は本発明の回転型電気部品の他の実施例を示す平面図、図９は本発明の回転型電気部品の他の実施例を示す正面図、図１０は同じく回転軸の正面図、図１１は同じく回転軸の断面図である。
【００２１】
図１〜図７において、上ケース１は、合成樹脂等の絶縁材、あるいは金属材のダイキャストなどにより下端側が開口された箱状に形成されている。この上ケース１の上端側には、後述する回転軸２が挿通される軸孔１ａを有し、主軸部３の先端が外方へ突出される円筒状の軸受け部１ｂが一体的に突出されて形成されている。また、前記軸受け部１ｂに連設して下端側の開口内に後述する回転部材７等を収納する収納部１ｃが形成されている。
【００２２】
回転軸２は、アルミニューム等の金属材を略円柱状に切削加工により形成した主軸部３と、合成樹脂製の絶縁材からなり、この主軸部３の先端に一体的に取付けられたつまみ取付け部４とで形成されている。尚、本実施例では、つまみ取付け部４は中空部４ａを有する筒状に形成されている。また、前記主軸部３とつまみ取付け部４とは、インサート成形等の方法で一体成形されて形成されている。前記回転軸２は、主軸部３が前記上ケース１の軸受け部１ｂに回転可能に軸支され、その先端側が前記軸孔１ａから突出されてつまみ取付け部４と係合されており、このつまみ取付け部４に電子機器などの操作パネルから露出する外装つまみ５が装着されるものとなっている。尚、軸受け部１ｂによる主軸部３の軸支部は、軸受け部１ｂの先端側に設定されており、この軸支部は外装つまみ５の内側に位置している。
【００２３】
この場合、前記つまみ取付け部４を前記外装つまみ５と同種の合成樹脂材、例えばＡＢＳ樹脂材等で形成するようにすれば、つまみ取付け部４と外装つまみ５との熱膨張係数が同等になるので、外装つまみ５あるいはつまみ取付け部４に熱による変形時のストレスが加わりにくく、クラックや割れの発生を防止できるものとなる。
【００２４】
また、前記主軸部３の一端側（先端側）には、平面視Ｄ字形状の非円形部となるＤカット部３ａが形成されている。このＤカット部３ａで前記つまみ取付け部４とインサート成形等の成形加工により一体的に係合されている。このため、前記主軸部３とつまみ取付け部４とを確実に係合できるので、前記外装つまみ５の回転操作をつまみ取付け部４を介して確実に回転軸２（主軸部３）に伝えることができるものとなっている。
【００２５】
また、この時、前記回転軸２は、金属製の主軸部３の先端３ｂを前記つまみ取付け部４の軸心部中央の孔４ｂに露出させた状態で一体的に形成するようにしており、このため、つまみ取付け部４を主軸部３に成形加工（インサート成形）する場合、前記孔４ｂを介して主軸部３を成形金型内で確実に位置決めできるので、主軸部３とつまみ取付け部４との係合位置を精度良く合わせることができ、主軸部３とつまみ取付け部４の偏心を抑えることができるものとなっている。
【００２６】
また、前記回転軸２は、主軸部３が前記上ケース１の軸受け部１ｂに軸支された際には、筒状のつまみ取付け部４が前記軸受け部１ｂの前記軸支部を含む先端側の外周面を覆うように形成されており、この時、つまみ取付け部４の中空部４ａに前記軸受け部１ｂの先端側が挿入された状態で軸支されるものとなっている。したがって、前記軸受け部１ｂを長く形成することができ、また、前記外装つまみ５が軸受け部１ｂに当接することなく、軸受け部１ｂとオーバーラップしており、回転軸２の主軸部３の先端近くまで軸受け部１ｂで回転軸２をガイドすることができるものとなる。
【００２７】
また、前記つまみ取付け部４の外周面には、前記外装つまみ５と嵌合する凹凸部４ｃが形成されている。この凹凸部４ｃを設けることにより前記回転軸２と前記外装つまみ５との嵌合を確実に行なうことができるものとなっている。
【００２８】
また、前記主軸部３の他端側（下端側）には、主軸部３よりも細径でかつ小判状からなる回転駆動部３ｃが設けられている。この回転駆動部３ｃが、後述する駆動部材６と係合されるものとなっており、前記回転軸２の回転に伴って駆動部材６を介して後述する回転部材７が回転動作されるものとなっている。
【００２９】
駆動部材６は、合成樹脂等の絶縁材からなり、基部６ａと一対のガイド突部６ｂを有している。この駆動部材６は、前記上ケース１の下端側に形成された収納部１ｃ内に収納されると共に、前記基部６ａが軸受け部１ｂの軸孔１ａに挿通された前記主軸部３の下端側に形成された前記回転駆動部３ｃに係合され、前記回転軸２の回転動作に伴って回転するものとなっている。また、この時、前記一対のガイド突部６ｂが後述する回転部材７に係合されており、回転部材７が駆動部材６の回転に伴って回転するものとなっている。
【００３０】
回転部材７は、合成樹脂等の絶縁材からなり、中央に上下に貫通する貫通孔を有し、円盤状の基盤部７ａと、この基盤部７ａの上方へ突出した筒状部７ｂとを有している。また、筒状部７ｂの内壁には、上下方向に沿って一対のガイド溝７ｃが設けられており、このガイド溝７ｃに前記駆動部材６の一対のガイド突部６ｂが係合されるものとなっている。この回転部材７は、前記上ケース１の下端側に形成された収納部１ｃ内に回転可能に収納されている。
【００３１】
この場合、前記駆動部材６と回転部材７とは、前記ガイド突部６ｂとガイド溝７ｃとによりスプライン結合されており、前記駆動部材６は回転部材７に対して上下方向（回転軸２の軸方向）には独自に移動可能とされ、回転軸２が回転する際には、回転軸２の回転に伴って共回りして回転部材７を回転させるものとなっている。すなわち、前記回転軸２は、前記軸受け部１ｂに上下動可能、かつ、回転可能に軸支されたものとなっている。
【００３２】
また、前記回転部材７の基盤部７ａの上面側には、複数の凹凸部からなる環状のカム山部（図示せず）が設けられており、また、前記上ケース１の収納部１ｃの天井面側にはこのカム山部に対向してばね性を有するクリック板８が設けられている。前記カム山部とクリック板８を設けることにより、前記回転軸２の回転動作時に良好な操作感触（クリック感触）が得られるものとなる。
【００３３】
また、前記回転部材７の基盤部７ａの下面側には、導電性の金属板からなる導電パターン９がインサート成形等の方法で一体的に埋設されて配設されている。この導電パターン９に、後述する下ケース１０に配設された図示しない摺動子が摺接されることで前記回転軸２の回転を検出するものとなっている。
【００３４】
下ケース１０は、合成樹脂等の絶縁材からなり、上面が開口された箱状に形成され凹状の収納部１０ａを有している。また、この収納部１０ａの中央には、更に凹状の窪み部１０ｂが設けられている。この窪み部１０ｂを挟んで前記収納部１０ａの対向する位置には、導電性の薄板金属板からなる一対の摺動子（図示せず）が設けられており、この摺動子が前記回転部材７の下面側に形成された導電パターン９と摺接されるものとなっている。この摺動子と導電パターン９とで回転検出手段を構成しており、前記回転軸２が回転操作された際には、摺動子が導電パターン上を摺接することにより回転時の所定の信号を出力するものとなっている。
【００３５】
また、前記窪み部１０ｂには、同じく導電性の金属板からなる中央固定接点１１及び周辺固定接点１２が一定の間隔を保って対向して配設されている。この中央固定接点１１及び周辺固定接点１２の上面側には、導電性の薄板金属板からなる可動接点１３が載置されており、この可動接点１３の周縁部が周辺固定接点１２に接触すると共に、中央の接点板（可動接点１３）が中央固定接点１１とは離間した状態で対向されている。
【００３６】
また、前記可動接点１３の上面側には、弾性を有するゴム材等からなり、反転可能なドーム状の膨出部を有するクリック部材１４が載置されている。このクリック部材１４のドーム状の膨出部の頂部には押圧部１４ａが設けられており、この押圧部１４ａの下面側には押圧突起１４ｂが設けられ、この押圧突起１４ｂが前記可動接点１３の中央の接点板に対向して配設されている。
【００３７】
また、クリック部材１４は、ドーム状の膨出部が前記回転部材７の貫通孔を通して筒状部７ｂの内側に配設されており、クリック部材１４の上方には、筒状部７ｂの内壁のガイド溝７ｃに係合された前記駆動部材６が配置され、前記駆動部材６の下端部とクリック部材１４の押圧部１４ａの上端部が当接した状態となっている。
【００３８】
前記中央固定接点１１、周辺固定接点１２、可動接点１３及びクリック部材１４で押圧スイッチを構成しており、前記回転軸２が押圧操作された際には、回転軸２が下方へ移動して、主軸部３の下端側に係合された前記駆動部６を介してクリック部材１４の押圧部１４ａが押圧され、反転することで押圧突起１４ｂが下側に配設された可動接点１３の接点板を押圧し、可動接点１３を介して中央固定接点１１と周辺固定接点１２が導通され押圧時の信号を出力するものとなっている。
【００３９】
このように、前記回転軸２は、軸受け部１ｂに回転軸線方向へスライド移動可能とされ、下ケース１０の収納部１０ａには、前記回転軸２を押圧操作した時に動作する押圧スイッチを設けるようにしたので、軸ガタを抑えるために、前記回転軸２を従来のようにばね部材等で付勢する必要がなく、回転軸２を上下動可能に保持できるので、回転軸２の下方に押圧スイッチを設けることにより回転軸２の軸線方向の押圧操作を検出することができるものとなっている。
【００４０】
また、前記下ケース１０の対向する両側面には、前記摺動子（図示せず）及び前記中央固定接点１１、周辺固定接点１２から導出され、外方へ突出した接続端子１５が形成されている。この接続端子１５が電子機器等の回路パターン等に接続されて信号が伝送されるものとなる。また、前記上ケース１の下端側に前記下ケース１０が係合されることにより、一端側（上端側）に筒状の軸受け部１ｂを有し、他端側（下端側）の内部に凹状の収納部１ｃ及び収納部１０ａを有するハウジングが構成されるものとなっている。
【００４１】
また、下ケース１０の下面側には、合成樹脂等の絶縁材からなる蓋体１６が取付けられている。この蓋体１６は、下ケース１０の収納部１０ａに設けられた摺動子（図示せず）、中央固定接点１１、周辺固定接点１２等の接点部内にゴミや埃などが侵入しないように、開口部を封止するためのものである。
【００４２】
また、上ケース１の上面側には、金属板等からなる枠体１７が取付けられている。この枠体１７の四隅部には、屈曲片１７ａが設けられており、この屈曲片１７ａを折り曲げることにより、前記上ケース１、下ケース１０、蓋体１６を一体に重ね合わせて取付けるものとなっている。また、前記枠体１７には一対の脚部１７ｂが設けられており、この脚部１７ｂで電子機器等の回路基板上に取付けられるものとなっている。
【００４３】
上記構成の回転型電気部品の先端に外装つまみ５を装着して使用する場合、回転型電気部品は、電子機器等のハウジングや回路基板等に取付けられており、操作パネルに設けられた挿通孔等から前記回転軸２のつまみ取付け部４が突出して配設されている。この状態で、前記回転軸２のつまみ取付け部４の先端に外装つまみ５を圧入して装着するものとなっており、外装つまみ５はケース１の上端側に長く形成された軸受け部１ｂとは当接せずにオーバーラップした状態で回転軸２に確実に装着されるものとなる。
【００４４】
図８〜図１１は、本発明の回転型電気部品の他の実施例を示している。この場合、上記実施例と異なるのは、回転軸２の構成が一部相違している点である。すなわち、本実施例では、回転軸２２の一部を構成するつまみ取付け部２４の構成を合成樹脂材に代えて金属材で形成している。
尚、図１〜図７で説明した上記実施例の部品と同一部品については同一符号を付してその説明を省略する。
【００４５】
図１０、図１１に示すように、本実施例では、回転軸２２は、アルミニューム等の金属材を略円柱状に切削加工により形成した主軸部２３と、亜鉛等の金属材のダイキャストからなり、この主軸部２３の先端に一体的に成形加工によって取付けられたつまみ取付け部２４とで形成されている。尚、本実施例では、つまみ取付け部２４は略中空部２４ａを有するが、全体が完全な筒状には形成されておらず、外周の一側面に平面視略Ｄ字状で、断面視略Ｃ字状となるように切り欠き部２４ｃが設けられている。また、これと直交する方向の両側面部には軸線方向に沿って延びる一対の平坦面２４ｄが設けられており、さらに、外周面の一端側には周方向にＶ字状の切り溝２４ｅが設けられ、これらによって中空部２４ａを構成する周壁部の断面が薄肉となる薄肉部が形成されている。
【００４６】
また、前記主軸部２３とつまみ取付け部２４とは、インサート成形等の方法で一体的に成形加工されて形成されている。そして、同じく前記回転軸２２は、主軸部２３が前記上ケース１の軸受け部１ｂに回転可能に軸支され、その先端側が前記軸孔１ａから突出されてつまみ取付け部２４と係合されており、このつまみ取付け部２４に電子機器などの操作パネルから露出する外装つまみ５が装着されるものとなっている。また同じく、軸受け部１ｂによる主軸部２３の軸支部は、軸受け部１ｂの先端側に設定されており、この軸支部は外装つまみ５の内側に位置している。
【００４７】
この場合、前記つまみ取付け部２４を金属材のダイキャストにより形成することにより、つまみ取付け部２４が金属材から形成されるので、該つまみ取付け部２４に前記切り欠き部２４ｃや薄肉部が設けられていても、強度を保つことができるものとなっている。このため、このつまみ取付け部２４に電子機器などの操作パネルから露出する外装つまみ５が装着される場合においても、外装つまみ５を強固に確実に保持することができるものとなっている。また、外装つまみ５が、つまみ取付け部２４とは異なる材料である合成樹脂材で形成されており、両者の熱膨張係数が異なっている場合においても、つまみ取付け部２４には切り欠き部２４ｃが設けられていることから、つまみ取り付け部２４は変形可能であり、前記熱膨張係数の違いを吸収して、外装つまみ５にクラックや割れが発生するのを防止できる。
【００４８】
また、同様に前記主軸部２３の一端側（先端側）には、平面視Ｄ字形状の非円形部となるＤカット部２３ａが形成されており、このＤカット部２３ａで前記つまみ取付け部２４とインサート成形等の成形加工で一体的に係合されていることから、前記主軸部２３とつまみ取付け部２４とを確実に係合できるものとなっている。また、この時、前記回転軸２２は、金属製の主軸部２３の先端２３ｂを前記つまみ取付け部２４の軸心部中央の孔２４ｂに露出させた状態で一体的に形成するようにしているので、つまみ取付け部２４を主軸部２３に成形加工（インサート成形）する場合に、前記孔２４ｂを介して主軸部２３を成形金型内で確実に精度良く位置決めできるものとなっている。
【００４９】
前記回転軸２２の主軸部２３が、前記上ケース１の軸受け部１ｂに軸支された際には、同じように、つまみ取付け部２４が前記軸受け部１ｂの前記軸支部を含む先端側の外周面を覆うように形成されており、つまみ取付け部２４の中空部２４ａに前記軸受け部１ｂの先端側が挿入された状態で軸支されるものとなっているので、前記軸受け部１ｂを長く形成することができ、前記外装つまみ５が軸受け部１ｂに当接することなしに、回転軸２２の主軸部２３の先端近くまで軸受け部１ｂで回転軸２２をガイドすることができるものとなる。
【００５０】
また、前記つまみ取付け部２４の外周面には、前記切り欠き部２４ｃ、平坦面２４ｄ及び切り溝２４ｅが形成されており、これらを設けることにより前記回転軸２２と前記外装つまみ５との嵌合を確実に行なうことができるものとなっている。また、前記主軸部２３の他端側（下端側）には、主軸部２３よりも細径でかつ小判状からなる回転駆動部２３ｃが設けられており、この回転駆動部２３ｃが、前記駆動部材６と係合されて、前記回転軸２２の回転に伴って駆動部材６を介して前記回転部材７が回転動作されるものとなっている。
【００５１】
上記した本発明の実施例によれば、前記上ケース１の軸受け部１ｂに軸支される前記回転軸２、２２は、前記上ケース１の軸受け部１ｂに挿通される前記主軸部３、２３と、前記軸受け部１ｂの先端側の外周面を覆うように前記主軸部３、２３と一体的に形成された前記つまみ取付け部４、２４からなり、このつまみ取付け部４、２４に電子機器用の外装つまみ５を装着するようにしたことから、外装つまみ５は、前記軸受け部１ｂの外周に位置する前記つまみ取付け部４、２４に取付けられるので、外装つまみ５を前記軸受け部１ｂに当接することなく軸受け部１ｂとオーバーラップさせて取付けることができ、前記軸受け部１ｂを長く形成することにより外装つまみ５内に位置する前記回転軸２、２２の主軸部３、２３の先端近くまで回転軸２、２２をガイドできるため、上記実施例の回転軸２、２２の形状により軸ガタを小さくすることができ、簡単な構造で回転軸２、２２の軸ガタを抑えることができるものとなっている。
【図面の簡単な説明】
【００５２】
【図１】本発明の回転型電気部品を示す平面図である。
【図２】本発明の回転型電気部品を示す正面図である。
【図３】本発明の回転型電気部品に外装つまみを取付けた状態を示す断面図である。
【図４】本発明の回転軸を示す正面図である。
【図５】本発明の回転軸を示す断面図である。
【図６】本発明の回転軸の主軸部を示す平面図である。
【図７】本発明の回転軸の主軸部を示す正面図である。
【図８】本発明の回転型電気部品の他の実施例を示す平面図である。
【図９】本発明の回転型電気部品の他の実施例を示す正面図である。
【図１０】本発明の回転軸の他の実施例を示す正面図である。
【図１１】本発明の回転軸の他の実施例を示す断面図である。
【図１２】従来の回転型電気部品を示す断面図である。
【図１３】従来の板ばねを示す正面図である。
【符号の説明】
【００５３】
１：上ケース（ハウジング）
１ａ：軸孔
１ｂ：軸受け部
１ｃ：収納部
２：回転軸
３：主軸部
３ａ：Ｄカット部（非円形部）
３ｂ：先端
３ｃ：回転駆動部
４：つまみ取付け部
４ａ：中空部
４ｂ：孔
４ｃ：凹凸部
５：外装つまみ
６：駆動部材
６ａ：基部
６ｂ：ガイド突部
７：回転部材
７ａ：基盤部
７ｂ：筒状部
７ｃ：ガイド溝
８：クリック板
９：導電パターン（回転検出手段）
１０：下ケース（ハウジング）
１０ａ：収納部
１０ｂ：窪み部
１１：中央固定接点（押圧スイッチ）
１２：周辺固定接点（押圧スイッチ）
１３：可動接点（押圧スイッチ）
１４：クリック部材（押圧スイッチ）
１４ａ：押圧部
１４ｂ：押圧突起
１５：接続端子
１６：蓋体
１７：枠体
１７ａ：屈曲片
１７ｂ：脚部
２２：回転軸
２３：主軸部
２３ａ：Ｄカット部（非円形部）
２３ｂ：先端
２３ｃ：回転駆動部
２４：つまみ取付け部
２４ａ：中空部
２４ｂ：孔
２４ｃ：切り欠き部
２４ｄ：平坦面
２４ｅ：切り溝
【図１】
2006004914.tif 000003
【図２】
2006004914.tif 000004
【図３】
2006004914.tif 000005
【図４】
2006004914.tif 000006
【図５】
2006004914.tif 000007
【図６】
2006004914.tif 000008
【図７】
2006004914.tif 000009
【図８】
2006004914.tif 000010
【図９】
2006004914.tif 000011
【図１０】
2006004914.tif 000012
【図１１】
2006004914.tif 000013
【図１２】
2006004914.tif 000014
【図１３】
2006004914.tif 000015